(57)【特許請求の範囲】
【請求項１】
１）皮膚表面に、拡散光を一方向から照射し、偏光板の装着された銀塩カメラ又は電子的カメラ何れかの撮影装置にて皮膚表面を複数の受光角度で撮影する。受光角度は、皮膚表面に対して照射光の入射方向と反対方向に０〜８０度である。その際、偏光板の回転により皮膚の内部反射光成分を含む表面反射光成分を最も強調した写真、並びに皮膚の表面反射光成分を最も除去した写真をそれぞれ撮影するステップ。
２）１）の方向とは異なる角度で拡散光を照射し、同様に皮膚の内部反射光成分を含む表面反射光成分を最も強調した写真、並びに皮膚の表面反射光成分を最も除去した写真をそれぞれ１）と同様に受光角度を変化させ複数撮影するステップ。これらの撮影は、複数回、各々異なる角度の拡散光照射で行う。このとき照射する光の皮膚表面に対する入射角は、０〜８０度である。
３）１）の皮膚の内部反射光成分を含む表面反射光成分を最も強調した写真並びに皮膚の表面反射光成分を最も除去した写真をそれぞれデジタル変換した後、両者の差分処理により表面反射光成分画像を得る。同様に２）の皮膚の内部反射光成分を含む表面反射光成分を最も強調した写真並びに皮膚の表面反射光成分を最も除去した写真についても同様に行い表面反射光成分画像を得るステップ。
４）３）で得られた表面反射光成分画像を２５６階調の輝度値（Ｌ＊ 値）に変換し、輝度レベルを増幅するステップ。
これら１）〜４）のステップを経て得られたデータにおいて被験者の皮膚評価部位の被験組成物塗布時の表面反射光成分を（Ｃ）、無塗布時の皮膚評価部位の表面反射光成分を（Ｄ）とした場合、前記照射光の入射角が前記皮膚表面に対して２０〜７０度の何れかの角度である場合の受光角が前記皮膚表面に対して反射方向４０〜７０度の何れかの角度で、（Ｄ）−（Ｃ）＞０であることを指標とする皮膚の質感に対する有効性の評価法。
【発明の詳細な説明】
【０００１】
【発明の属する技術分野】
この発明は、皮膚の質感の評価法ならびに該評価法を用いる前記質感を若くみせる組成物のスクリーニング法、及び該スクリーニング法により選択された組成物を含有する化粧料に関するものである。
【０００２】
【従来の技術】
女性が肌を若々しくみせたいという願いは普遍的である。この様な欲求を満たすために様々な化粧料が開発されてきた。
【０００３】
人が肌の若さを視覚的に評価する場合、「色」、「形態」、及び「質感」の視点から総合的に判断している。
【０００４】
「色」及び「形態」については、加齢に伴う黄みの増加、赤みの減少、明度の減少が、また、シワやたるみの増加が主観的にも客観的にも明らかにされている。更に、分光反射率の測定や皮膚レプリカの画像解析など十分に確立された系から、それら視点についての肌の若さに対する科学的な理論や評価法を構築し、製品研究が為されている。例えば、鈴木一弘と松枝  明、１９９６−２、ＦＲＡＧＲＡＮＣＥ  ＪＯＵＲＮＡＬ、ｐ３５〜４０によると、皮膚の分光反射率を測定し、皮膚色のくすみの原因は赤色波長の６４０ｎｍ以上の反射率の低下によるものであり、その帯域の分光透過率を上げた粉体配合の化粧料により健康的な皮膚色を演出することが可能であると報告されている。また、特開平２−２４６８３３号公報には、皮膚のレプリカ撮影画像を階調処理及び画像処理して皮溝の深さを得る方式が、特開平７−２３１８８３号公報には、皮膚を明暗強調撮影装置により直接撮影し、皮膚表面の微細明暗分布が強調された二次元画像を得て、更にその画像の加工処理により、皮膚の光学的美しさと相関する皮膚表面の凹凸の粗さや明度分布の均一性を得る方式が開示されている。
【０００５】
「質感」については、「色」や「形態」ほど多くの知見は得られていない。質感という言葉は国語辞典（岩波国語辞典第五版）によると、「材料の性質の違いから受ける感じ、材料が持っている感じ」の意味を示す。布施  学と新本浩一、１９９９、Ｊ．Ｓｏｃ．Ｃｏｓｍｅｔ．Ｃｈｅｍ．Ｊｐｎ．、Ｖｏｌ．３３、Ｎｏ．２、ｐ１５４〜１６２によると、質感の測定は一般的には光学的になされることが多く、物体の表面反射光成分の強弱で評価され、その表面反射光成分には表面の凹凸情報や光沢情報が含まれていると報告されている。
【０００６】
特開平１０−６２３３８号公報には、角層の半透明性に由来する光学効果に着目し、異なる２方向（８５度と４０度）からの照射光に対する分光反射率を複数測定し、得られたスペクトルパターンを相互比較することで、皮膚を美しくみせる化粧料の評価法として確立できることが開示されている。また、小島伸俊ら、１９９３、５６巻、４号、ｐ２６４〜２６９には、皮膚の表面反射光成分のフーリエ解析による毛穴等の凹凸情報の定量化が報告されている。
【０００７】
しかし、これらの測定法及び評価法を実施するためには、高額な測定・解析機器の購入、複雑で手間の掛かる手順、専門的な知識などが要求され、充分な汎用性、利便性までには至っていない。特に、皮膚の「質感」においては、簡易な測定法が未充足であり、しかも、加齢に伴う皮膚の質感の変化は殆ど解明されていない。また更に、肌の若さに対する科学的な理論や評価法の構築、及びそれらに基づく製品研究もあまり為され得ないのが現状である。
【０００８】
即ち、人の肌を視覚的に評価する場合の主要な視点の一つである質感について、その測定法を確立し、それを活用し若くみせる理論を明らかにし、評価法を開発することが求められていた。
【０００９】
【発明が解決しようとする課題】
本発明はこのような状況を踏まえて為されたものである。皮膚の質感、つまりは皮膚の凹凸情報や光沢の変化が客観的かつ、簡易な方法で測定できれば、例えば、皮膚の質感を若くみせる手段を構築するのに資し、化粧料選択の基準として資することも可能である。したがって、本発明の目的は、皮膚の質感の簡易な測定法を確立し、それにより若くみせる理論を明らかにし、評価法を提供することにある。
【００１０】
【課題を解決するための手段】
このような状況に鑑みて、本発明者等は人の皮膚が若くみえる光学的メカニズムを解明すべく鋭意研究を重ねた結果、人の皮膚の質感が回復し皮膚が若くみえる大きな要素の一つに、皮膚に対する光源の入射角とその表面反射光成分の受光角の組み合わせに光学的要素が存在することを見出した。
【００１１】
皮膚の凹凸情報に関して、加齢に伴い、皮膚真皮における構造線維の変化や崩壊、皮下脂肪の厚さの減少により、皮膚が弛緩し、大小様々なしわが目立ち、毛穴が大きく縦に垂れてくるなどの状態が見られる。
【００１２】
加齢に伴い、皮丘の不均一化、面積増加、ふっくら感の減少が生じ、細胞レベルでも皮膚の老化角質細胞は偏平化を来す。そのため、皮膚の光沢に関しては、皮脂量が減少しているにもかかわらず、視覚的に皮膚表面上では光沢が顕著にみられ、素肌において、いわゆる、皮膚のテカリが観察される。若い世代の皮膚においても、光沢が観察されるが、均一で面積の小さいふっくらした皮丘や適度な透明性のある角層であるため半透明性をもった美しい光沢が観察される。つまり、同じ光学現象を観察していても、両者間においては皮膚の光沢感の傾向は異なり、その差異が、中高年齢の場合は、所謂、「テカリ」と、若い年齢の場合は、「つや」と表現されている。
【００１３】
本発明者等は、皮膚の質感を照射光による皮膚表面反射光成分から検討した。特に、若い世代の「つや」と中高年の「テカリ」の差異について、照射光の入射角と表面反射光成分の受光角とが同じ組み合わせの場合でも、若い皮膚と中高年の皮膚とではその反射光成分の強度が異なることを見出した。さらには、光源の入射角と受光角の組み合わせを変化させ皮膚の表面反射光成分を多面的に観察することから、ある特異的な入射角と受光角における表面反射光成分が若くて美しく見えることに大きく寄与することを見出した。
【００１４】
したがって、本発明によれば、皮膚の質感の評価法であって、若い被験者の皮膚を対照とし、被験者の皮膚表面に対する照射光の入射角が２０〜７０度である場合、皮膚表面に対する受光角が反射方向４０〜７０度の表面反射光成分に、差異がみられることを前記質感の老化度合いの指標とする、方法が提供される。
【００１５】
またさらに本発明方法によれば、皮膚の質感を回復または若くみせ得る組成物の簡易な評価法、特に、光学機能的組成物のスクリーニング法も提供できる。具体的には、被検組成物を前記皮膚の質感の評価法にかける被験者に適用し、その適用の前記質感への有効性を評価することにより、皮膚の質感を回復または若くみせる組成物がスクリーニングできる。
【００１６】
【発明の実施の形態】
以下に本発明の実施形態を図面に基づいて説明する。最も好ましい形態としては、次ぎに示す手順に従って行われる。
【００１７】
１）皮膚表面に、拡散光を一方向から照射し、偏光板の装着された銀塩カメラ又は電子的カメラ何れかの撮影装置にて前記皮膚表面を複数の受光角度で撮影する。ここで撮影する皮膚表面の部位は特に限定されないが、顔全体又は人の頬の撮影が適切な評価結果が得られることから好ましい。受光角度は、前記皮膚表面に対して前記照射光の入射方向と反対方向に０〜８０度、より好ましくは２０〜８０度、更に好ましくは４０〜７０度である。その際、偏光板の回転により皮膚の内部反射光成分を含む表面反射光成分を最も強調した写真、並びに皮膚の表面反射光成分を最も除去した写真をそれぞれ撮影する。拡散光源は特に限定されないが、好ましくは白色白熱光である。また、撮影装置は得られる写真が銀塩カメラあるいは電子的カメラの何れかを活用してもよいが、好ましくはＣＣＤカメラ又は非ＣＣＤカメラを撮像部とするデジタルカメラである。デジタルカメラでは、写真の解析手順を短絡化でき、また、より適切な評価結果が得られる。本発明者等はデジタルカメラ  Ｃ−２５００Ｌ（ＯＬＹＭＰＵＳ社製）を用いた。
【００１８】
２）１）の方向とは異なる角度で前記拡散光を照射し、同様に皮膚の内部反射光成分を含む表面反射光成分を最も強調した写真、並びに皮膚の表面反射光成分を最も除去した写真をそれぞれ１）と同様に受光角度を変化させ複数撮影する。これらの撮影は、複数回、各々異なる角度の拡散光照射で行う。このとき、１）と２）の照射する光の皮膚表面に対する入射角は、０〜８０度、より好ましくは２０〜８０度、更に好ましくは２０〜７０度である。
【００１９】
３）１）の前記皮膚の内部反射光成分を含む表面反射光成分を最も強調した写真並びに皮膚の表面反射光成分を最も除去した写真をそれぞれデジタル変換した後、両者の差分処理により表面反射光成分画像を得る。同様に２）の前記皮膚の内部反射光成分を含む表面反射光成分を最も強調した写真並びに皮膚の表面反射光成分を最も除去した写真についても同様に行い表面反射光成分画像を得る。ここで、写真のデジタル変換にはデジタル変換可能ならば行う機器は限定されない。本発明者等はデジタルカメラを用いているので当該手順は省略した。
【００２０】
４）前記表面反射光成分画像を２５６階調の輝度値（Ｌ＊値）に変換し、輝度レベルを増幅した。変換する際の階調は、１２８、６４、３２などでも構わないが、２５６がより好ましい。その輝度値が皮膚の質感の指標となる。このとき増幅の倍率は１〜５、より好ましくは１．５〜４、更に好ましくは２〜３．５である。また、３）の差分処理、並びに４）の輝度変換及び増幅処理には各処理が可能ならば特に限定されないが、本発明者等は画像編集ソフトであるＰｈｏｔｏｓｈｏｐ  ３．０Ｊ（Ａｄｏｂｅ社製）を用いた。ここで、皮膚の表面反射光成分を検出する方法として前記１）〜４）の手順を行ったが、表面反射光成分の検出が可能であるなら特に限定されない。
【００２１】
５）かくして得られた様々な組み合わせをもつ皮膚の表面反射光成分の傾向から皮膚の質感を評価する。特に、照明光の皮膚表面に対する入射角が２０〜７０度で、受光角度が入射方向と反対方向の４０〜７０度で測定した表面反射光成分について質感の評価を行うのがより好ましい。
【００２２】
また、アンケートにより客観的に若い肌にみえると評価された２０歳未満の被験者の測定データを対照とし、測定した２０歳以上の表面反射光成分のデータを比較することで、皮膚の質感の老化度合いを評価することができる。
【００２３】
さらに本発明によれば、光学的機能をもった組成物を被験者の測定部位に適用し、それらによる皮膚の質感への有効性を評価することにより、皮膚の質感の回復または若くみえることに役立ち得るかを評価することができる。この評価方法によれば、ある一定の組成物が皮膚の質感の老化を回復させる、または若くみせる作用を有するか、否かが評価でき、皮膚を視覚的に若くみせるのに有用な組成物をスクリーニングできる。
【００２４】
本発明によれば、こうしてスクリーニングされる組成物を皮膚を視覚的に若くみせるための有効成分として使用する化粧料にも提供できる。
【００２５】
本発明者らは皮膚の質感を若くみせる素材を鋭意研究した結果、かかる化粧料の一例として、塗布される皮膚温度下においても粘度低下を起こさず適度な膜厚を保持し、自然な透明性があり、更に、塗布表面上における表面反射光成分を拡散させる架橋型メチルポリシロキサンとメチルポリシロキサンからなるシリコーンゲル組成物と異なる３つ以上の成分からなる多層型板状粉体を含有する化粧料に光学的な効果を見出している。
【００２６】
シリコーンゲル組成物は架橋型メチルポリシロキサンとメチルポリシロキサンからなる組成物〔例えば信越化学工業株式会社製のＤＮ−１９６〕が特に好ましいが、塗布する皮膚温下において適度な膜厚を保持するのであるならば、限定されない。シリコーンゲル組成物の本発明の化粧料における好ましい含有量は、５〜７５重量％が好ましく、更に好ましくは１０〜６５重量％である。
【００２７】
多層型板状粉体は、屈折率の高い板状のセリサイトを核として、酸化チタン、酸化アルミニウム、シリカの屈折率の高い順にコーティングした粉体〔例えば触媒化成工業株式会社製のＣＯＶＥＲＬＥＡＦ  ＡＲ−２０１２１Ｍ〕が、特開平１１−３４９４４２号公報にて報告されているような多成分からなる球状の多層型粉体よりも、皮膚の質感を若くみせるには特に好ましいが、膜厚の保持、適度な光拡散性及び半透膜性があるならば、限定されない。多層型板状粉体の本発明の化粧料における好ましい含有量は、３〜３０重量％が好ましく、更に好ましくは５〜２０重量％である。
【００２８】
したがって、本発明に従う有効成分として、架橋型メチルポリシロキサンとメチルポリシロキサンからなるシリコーンゲル組成物と異なる３つ以上の成分からなる多層型板状粉体を含有する化粧料は、特に、加齢に基づく皮膚の質感の老化に起因する老いてみえる皮膚の処置に適する。
【００２９】
【実施例】
以下、本発明を具体的に挙げてさらに詳細に説明する。
【００３０】
例１：年齢的な皮膚の見え方の違いにおける質感の評価
図１には前記手順で得た人の顔の表面反射光成分の入射角受光角の組み合わせ例を示している。光源の入射角は顔面正面に対して０、２２．５、４５、６７．５度のそれぞれで照射し、撮影装置の受光角は前記顔面表面に対して反射方向に正の角度を表すとし、０、２２．５、４５、６７．５度とした。照射光の入射角６７．５度で受光角を０、２２．５、４５、６７．５度のそれぞれにした場合を１に、照射光の入射角４５度で受光角０、２２．５、４５、６７．５度のそれぞれにした場合を２に、照射光の入射角２２．５度で受光角０、２２．５、４５、６７．５度のそれぞれにした場合を３に、照射光の入射角０度で受光角２２．５、４５、６７．５度のそれぞれにした場合を４に示した。これら１５の入射角受光角の組み合わせから、顔の表面反射光成分を多面的に測定することができる。
【００３１】
【図１】
【００３２】
被験者の肌が老いてみえるのか若くみえるのかは、アンケートにより客観的に判定した。アンケートは「▲１▼頬のくすみが少ない」、「▲２▼頬につや感がある」、「▲３▼頬にうるおい感がある」、及び「▲４▼頬にはり感がある」の４項目について、「全く感じない」を１、「非常にはっきりと感じる」を７として最も該当するところをチェックさせる７段階評価を用いた。評価は第三者の視覚による主観的な観察により行った。若くみえるか、否かの判定基準はアンケートで得られる４項目の評点を数１に代入し、肌の老若ポイントを算出した。このポイントは、０以上の場合を若くみえるとし、ポイントが高いほどより肌が若くみえると評価でき、逆に、０未満の場合を老いて見えるとし、ポイントが低いほどより肌が老いてみえると客観的に評価できる。
【００３３】
【数１】
【００３４】
図２及び図３は、図１で示された１５の入射角受光角の組み合わせで前記１）〜４）の手順により測定した場合の表面反射成分の図で、図２はアンケートよるポイントが１．２５で若くみえると判定された２０歳女性の顔全体の質感の傾向を示し、図３はポイントが−１．３３で年老いてみえると判定された４８歳女性の顔の質感の傾向を示す。横軸は照射光の顔面表面に対する入射角で６７．５、４５、２２．５、０度と順に示し、縦軸は撮影装置の受光角で顔面表面に対する反射方向を正とし、６７．５、４５、２２．５、０度と順に示す。輝度変換後の増幅は３倍である。輝度が高く、より白く見える部分ほど光沢があることを示す。
【００３５】
【図２】
【００３６】
【図３】
【００３７】
図２と図３を比較した場合、６７．５度入射６７．５度受光、４５度入射６７．５度受光、２２．５度入射６７．５度受光、４５度入射４５度受光各々にて、年老いてみえると判定された女性の方が若くみえると判定された女性よりも輝度が高く、白く見える部分が多く観察される。このことから、年老いて見えると判定された女性には特異的な入射角受光角の組み合わせにおいて顕著な光沢が見受けられる、と判断できる。また、凹凸情報から観察できるしわに関しても、年老いて見えると判定された女性の方が目立って観察されている。
【００３８】
図４及び図５は、図２及び図３それぞれに関して、左頬の部位のみトリミングし、図示したものである。頬のトリミングは、人が肌の老若を評価する際、主に頬の部位を重点に置き判断していることが明らかとなっているため、特に、この部位に関して検討した。
【００３９】
【図４】
【００４０】
【図５】
【００４１】
図４と図５を比較した場合、６７．５度入射６７．５度受光、４５度入射６７．５度受光、２２．５度入射６７．５度受光、４５度入射４５度受光各々にて年老いて見えると判定された女性の方が若くみえると判定された女性よりも輝度が高く白く見える部分が多く観察される。このことから、年老いて見えると判定された女性には特異的な入射角受光角の組み合わせにおいて顕著な光沢が見受けられる、と判断できる。また、凹凸に関しても、年老いて見えると判定された女性の方が目立って観察されている。
【００４２】
つまり、６７．５度入射６７．５度受光、４５度入射６７．５度受光、２２．５度入射６７．５度受光、４５度入射４５度受光の４組または何れか１組以上における皮膚の光沢を減少させ、目立ったしわをぼかせば、皮膚の老いた質感に関して若くみせることが可能となることが判る。したがって、これらの入射角受光角の組み合わせについて、２０歳未満のアンケート等により肌が若いと判定された被験者を対照として、被験者の表面反射光成分を比較することで、皮膚の質感の老化度合いを評価することができる。
【００４３】
例２：質感における光沢の数値化
実施例１の被験者２名に加え、アンケートにより肌が若いと評価されている対照女性被験者２名、同様に肌が年老いていると評価された女性被験者２名を用いて、図１の入射角受光角の組み合わせにおける素肌状態の頬及び顔全体の表面反射成分を、前記１）〜４）の手順に基づき測定した。輝度変換後の増幅倍率は３倍とした。
【００４４】
光沢度合いの数値化は、頬をトリミングし、そのエリア内の各画素の輝度値に関して行った。被験者毎でエリアの総画素数が異なるので、各輝度値の画素数を対総画素数比で表した。数２により、対照女性を含む各被験者の皮膚の光沢の明るさを数値化した。数２のＫは輝度値を、Ｐｋは輝度値Ｋの対総画素数比を表す。
【００４５】
【数２】
【００４６】
実施例１の図４及び図５の光沢度の数値結果を表１に示す。表１は、図４及び図５の表面反射光成分に関して光沢度合いを数値化し、表に示したものである。また表中の「６７入６７受」は６７．５度入射６７．５度受光を示す。「６７入４５受」は６７．５度入射４５度受光を示す。「６７入２２受」は６７．５度入射２２．５度受光を示す。「６７入０受」は６７．５度入射０度受光を示す。「４５入６７受」は４５度入射６７．５度受光を示す。「４５入４５受」は４５度入射４５度受光を示す。「４５入２２受」は４５度入射２２．５度受光を示す。「４５入０受」は４５度入射０度受光を示す。「２２入６７受」は２２．５度入射６７．５度受光を示す。「２２入４５受」は２２．５度入射４５度受光を示す。「２２入２２受」は２２．５度入射２２．５度受光を示す。「２２入０受」は２２．５度入射０度受光を示す。「０入６７受」は０度入射６７．５度受光を示す。「０入４５受」は０度入射４５度受光を示す。「０入２２受」は０度入射２２．５度受光を示す。表１と図４及び図５から光沢度合いの数値化が適正に行われていることが確認できる。また、６７．５度入射６７．５度受光、４５度入射６７．５度受光、２２．５度入射６７．５度受光、４５度入射４５度受光の４組についての光沢度合いに関して、老いてみえる肌（Ｂ）と若くみえる肌（Ａ）との差（Ｂ）−（Ａ）は何れも正の値であり、しかも、老いた肌の光沢度合いが約３．５倍ほど大きく、対照女性者に比して被験女性者の皮膚の質感老化が進行していると評価することができる。
【００４７】
【表１】
0004842424.tif 000002
【００４８】
さらに、実施例１の被験者も加えた対照群及び年老いた群、それぞれ３名ずつにおける、皮膚の光沢度合いの平均値の結果を図６に示す。白抜き丸印は対照、黒四角印は年老いた被験者である。図中のｘ軸の「６７入６７受」等は表１と同様に６７．５度入射６７．５度受光を示す。
【００４９】
【図６】
【００５０】
図６から、６７．５度入射６７．５度受光、４５度入射６７．５度受光、２２．５度入射６７．５度受光、４５度入射４５度受光において、肌が老いている被験者の光沢度合いが対照の若い被験者よりも、大きな値を示しており、数値データからも、皮膚の質感の老化が進んでいることが評価できる。
【００５１】
例３：皮膚の質感を若くみせる処方例
表２に示す組成に関して、成分（１）〜（８）を混合、さらに成分（９）〜（１１）を混合したものを加え、ホモミキサーにて均一に混合分散し、質感回復化粧料を得た。実施例、並びに比較例１、２、及び３の化粧料を用い、製品の効果を官能評価及び本発明における評価法により検討した。比較例１及び２の多層型球状粉体は球状シリカに酸化チタン、シリカを順次コーティングした３層からなる球状物である。
【００５２】
【表２】
0004842424.tif 000003
【００５３】
１９及び２０歳の女性３名に対し、【００３１】で記載したアンケートならびに【数１】から老若ポイント算出し、最もポイントの大きい女性被験者を対照者とした（老若ポイントは１．２１）。同様に４０〜５０歳の女性３名対し、最も老若ポイントが小さい女性被験者を試験者とした（老若ポイントは−１．５５）。図１の入射角受光角の組み合わせにおける素肌状態の頬及び顔全体の表面反射成分を、前記１）〜４）の手順に基づき、化粧料塗布前と化粧料塗布後の皮膚の質感を測定し、対照者との比較により化粧料による試験者の皮膚の質感への影響を評価した。
【００５４】
図７に結果を示す。図７には、若くみえる肌と老いてみえる肌とを比較した場合に特異的な質感の差異がみられる「６７．５度入射６７．５度受光、４５度入射６７．５度受光、２２．５度入射６７．５度受光、４５度入射４５度受光」の４つの組み合わせにおいての表面反射光成分を示している。
【００５５】
【図７】
【００５６】
対照者においては、比較例１、比較例２、比較例３、及び実施例の塗布によっても、皮膚の光沢度合いや凹凸度合いは塗布前とは殆ど変化していないことが明らかである。一方、試験者においては、皮膚の光沢度は実施例塗布において、塗布前に比して光沢度が減少し、凹凸度合いも軽減されていることが明らかに判る。また、対照者の質感の傾向にも近づいており、皮膚の質感が回復していることが判る。比較例１、比較例２、及び比較例３塗布においては、あまり皮膚の質感に影響を及ぼさず質感の回復は得られていない。
【００５７】
表３には図７に関して左頬の部位だけをトリミングし、実施例２記載の方法により数値化したものである。まず、無塗布時の若くみえる肌と老いてみえる肌の差（Ｂ）−（Ａ）が、特異的な質感の差異がみられる「６７．５度入射６７．５度受光、４５度入射６７．５度受光、２２．５度入射６７．５度受光、４５度入射４５度受光」の４つの組み合わせにおいて何れもの正であることから、対照者に比して試験者の皮膚の質感は老化が進行していると評価された。
【００５８】
また、対照者（Ａ）においては、実施例塗布によっても無塗布時である塗布前との差（Ｄ）−（Ｃ）が負の値を示し、質感に有効ではなく、比較例１、２及び３に至っては、更に小さな値を示し、逆に皮膚の質感老化が促進されてみえると評価された。一方、試験者（Ｂ）においては、実施例塗布での差（Ｄ）−（Ｃ）がいずれの４つの組合わせにおいても、正であり、しかも、比較例１、２、及び３に比して大きな値を示し、皮膚の質感老化の回復に最も有効であると評価された。
【００５９】
【表３】
0004842424.tif 000004
【００６０】
官能評価は専門パネラー１０名により行った。アンケートは総合的な評価として「仕上がりが自然で若くみえる」、質感の評価として「凹凸が自然に消える」、「光沢度合いが自然にみえる」の３項目について、「全く感じない」を１、「非常にはっきりと感じる」を７として最も該当するところをチェックさせる７段階評価を用いた。結果の平均点を表４に示す。表４から、試験例において、総合的にも仕上がりがよく、また質感の回復にも有効であり、実際の見た目にも皮膚の質感が若くみえていることが明らかに確認される。
【００６１】
【表４】
0004842424.tif 000005
【００６２】
なお、本発明は上記実施形態に限定されるものではなく、本発明の範囲内で上記実施形態に多くの修正及び変更を加え得ることは勿論である。
【００６３】
【発明の効果】
本発明によると、皮膚の質感、つまりは、皮膚の凹凸情報や光沢度合いを客観的に、かつ簡易に測定することができる。また、若くみせるための質感に関する光学的理論に基づく評価法が提供される。これらは、加齢による皮膚の質感の老化に関して、肌を視覚的に若くみせるための有効な素材選択に利用できる。
【００６４】
【図面の簡単な説明】
【図１】  図１は、照射光である光源の入射角と、それに対する撮影装置の受光角との組み合わせの一例である。
【図２】  図２は、アンケートにより若くみえると判定された２０歳女性の顔全体の表面反射光成分を示す図。
【図３】  図３は、アンケートにより年老いてみえると判定された４８歳女性の顔全体の表面反射光成分を示す図。
【図４】  図４は、図２から頬の部位のみをトリミングした場合の表面反射光成分を示す図。
【図５】  図５は、図４から頬の部位のみをトリミングした場合の表面反射光成分を示す図。
【図６】  図６は、アンケートにより若くみえると判定された対照女性被験者及び年老いてみえると評価された女性被験者においての頬の表面反射成分を数値化した図。
【図７】  図７は、本発明の評価法により有効性を示す表面反射光成分のデータである。
【図１】
0004842424.tif 000006
【図２】
0004842424.tif 000007
【図３】
0004842424.tif 000008
【図４】
0004842424.tif 000009
【図５】
0004842424.tif 000010
【図６】
0004842424.tif 000011
【図７】
0004842424.tif 000012